(57)【要約】【課題】本発明は、高い光透過率及び優れる配光曲線を有する発光ダイオードランプを提供することを目的とする。【解決手段】本発明に係る発光ダイオードランプは、並んで配列される複数の電気回路基板と、複数の前記電気回路基板の表面にアレイ状に配列される複数の発光ダイオードと、複数の光学レンズとを備える発光モジュールと、前記発光モジュールを駆動させる電源モジュールと、前記発光モジュールを収容する発光モジュール収容部及び前記電源モジュールを収容する電源モジュール収容部を備え、前記発光モジュール収容部及び前記電源モジュール収容部が互いに隣り合って設置されるハウジングと、を備え、複数の前記光学レンズはただ一部の前記発光ダイオードを覆い、前記光学レンズに覆われない複数の前記発光ダイオードは対称的に配列される。【選択図】図１
2012084511.tif 000002
【特許請求の範囲】
【請求項１】
並んで配列される複数の電気回路基板と、複数の前記電気回路基板の表面にアレイ状に配列される複数の発光ダイオードと、複数の光学レンズと、を備える発光モジュールと、
前記発光モジュールを駆動させる電源モジュールと、
前記発光モジュールを収容する発光モジュール収容部及び前記電源モジュールを収容する電源モジュール収容部を備え、前記発光モジュール収容部及び前記電源モジュール収容部が互いに隣り合って設置されるハウジングと、
を備えてなる発光ダイオードランプであって、
複数の前記光学レンズは一部の前記発光ダイオードを覆い、前記光学レンズに覆われない複数の前記発光ダイオードは対称的に配列されることを特徴とする発光ダイオードランプ。
【請求項２】
前記光学レンズに覆われない複数の前記発光ダイオードは、前記光学レンズに覆われた複数の前記発光ダイオードの両側に対称的に配列されることを特徴とする請求項１に記載の発光ダイオードランプ。
【請求項３】
各々の前記電気回路基板の上の複数の前記発光ダイオードは２列に配列され、各列の複数の前記発光ダイオードにおいて、一側の２つの前記発光ダイオード及び他側の２つの前記発光ダイオードを除いて、他の前記発光ダイオードは前記光学レンズに覆われることを特徴とする請求項１又は２に記載の発光ダイオードランプ。
【請求項４】
各々の前記電気回路基板の上の複数の前記発光ダイオードは２列に配列され、並んで配列される複数の電気回路基板において、両側に位置する２つの前記電気回路基板の上の複数の前記発光ダイオードは前記光学レンズに覆われず、他の前記電気回路基板の上の複数の前記発光ダイオードは前記光学レンズに覆われることを特徴とする請求項１又は２に記載の発光ダイオードランプ。
【請求項５】
各々の前記電気回路基板の上の複数の前記発光ダイオードは２列に配列され、並んで配列される複数の前記電気回路基板において、中央部に位置する１つの前記電気回路基板の上の前記発光ダイオードは、前記光学レンズに覆われず、他の前記電気回路基板の上の複数の前記発光ダイオードは、中央の２行の前記発光ダイオードが前記光学レンズに覆われないことを特徴とする請求項１に記載の発光ダイオードランプ。
【請求項６】
前記発光モジュールは、複数の反射板をさらに備え、各々の前記反射板には、複数の貫通孔が設けられ、複数の前記反射板は複数の前記電気回路基板に貼り合わせられて、前記電気回路基板の上の複数の前記発光ダイオード及び複数の前記光学レンズは、前記貫通孔から露出することを特徴とする請求項１〜５のいずれか一項に記載の発光ダイオードランプ。
【発明の詳細な説明】
【技術分野】
【０００１】
本発明は、発光ダイオードランプに関するものである。
【背景技術】
【０００２】
半導体発光素子を採用して製作された発光ダイオード（Ｌｉｇｈｔ  Ｅｍｉｔｔｉｎｇ  Ｄｉｏｄｅ，ＬＥＤ）は、高輝度、低消費電力、長寿命である等の利点を有することから、冷陰極蛍光ランプ（Ｃｏｌｄ  Ｃａｔｈｏｄｅ  Ｆｌｕｏｒｅｓｃｅｎｔ  Ｌａｍｐ，ＣＣＦＬ）に代わってランプの光源として広く応用される。特別な配光曲線を得るために、発光ダイオードランプは一般的に発光ダイオードを覆う複数の光学レンズを含む。
【発明の概要】
【発明が解決しようとする課題】
【０００３】
しかし、発光ダイオードを覆う光学レンズは、発光ダイオードランプの光透過率をある程度妨げる。
【０００４】
本発明の目的は、前記課題を解決し、高い光透過率及び優れる配光曲線を有する発光ダイオードランプを提供することである。
【課題を解決するための手段】
【０００５】
本発明に係る発光ダイオードランプは、並んで配列される複数の電気回路基板と、複数の前記電気回路基板の表面にアレイ状に配列される複数の発光ダイオードと、複数の光学レンズとを備える発光モジュールと、前記発光モジュールを駆動させる電源モジュールと、前記発光モジュールを収容する発光モジュール収容部及び前記電源モジュールを収容する電源モジュール収容部を備え、前記発光モジュール収容部及び前記電源モジュール収容部が互いに隣り合って設置されるハウジングと、を備え、複数の前記光学レンズはただ一部の前記発光ダイオードを覆い、前記光学レンズに覆われない複数の前記発光ダイオードは対称的に配列される。
【発明の効果】
【０００６】
本発明の発光ダイオードランプは、光学レンズに覆われる複数の発光ダイオードと、対称的に配列され且つ光学レンズに覆われない複数の発光ダイオードと、を備えるので、高い光透過率及び優れる配光曲線を有する。
【図面の簡単な説明】
【０００７】
【図１】本発明の第一実施形態に係る発光ダイオードランプの立体分解図である。
【図２】図１に示す発光ダイオードランプの発光モジュールの立体分解図である。
【図３】図１に示す発光ダイオードランプの立体組立図である。
【図４】本発明の第二実施形態に係る発光ダイオードランプの部分分解図である。
【図５】本発明の第三実施形態に係る発光ダイオードランプの部分分解図である。
【発明を実施するための形態】
【０００８】
以下、図面を参照して、本発明の実施形態について説明する。
【０００９】
図１及び図２に示されたように、本発明の第一実施形態に係る発光ダイオードランプ１は、ハウジング１０と、発光モジュール１１と、前記発光モジュール１１を駆動させるための電源モジュール１２と、ランプカバー１４と、キャップ１５と、放熱器１６と、３つの環状のシーラント１７と、を備える。
【００１０】
前記電源モジュール１２は、変圧器１２０と、第一電線１２２と、第二電線１２４と、前記第一電線１２２の端部に設けられるコネクター１２６と、を備える。前記変圧器１２０は、前記第一電線１２２及び前記コネクター１２６を介して外部電源に電気的に接続され、且つ外部電源を、前記発光モジュール１１を駆動する駆動電圧に変換する。
【００１１】
前記ハウジング１０は、順次に隣り合って設置される発光モジュール収容部１０１、電源モジュール収容部１０２及びランプヘッド１０３を備える。前記発光モジュール収容部１０１は、フレーム１０４と、前記フレーム１０４によって囲まれ且つ前記発光モジュール１１を収容するために用いられる収容部１０５と、を備える。前記電源モジュール収容部１０２は、前記発光モジュール収容部１０１の片側（図面の右側）に位置し、前記電源モジュール１２を収容するために用いられる。前記ランプヘッド１０３は、前記ハウジング１０を外部の電気設備（図示せず）に接続して、前記電源モジュール１２に作動電源を提供するために用いられる。本実施形態において、前記ランプヘッド１０３は、中空管状であり、その一端は前記電源モジュール収容部１０２に連通し、その他端は街路灯のランプロッド（図示せず）に接続するために用いられる。前記第一電線１２２及び前記コネクター１２６は前記ランプヘッド１０３を貫くことができ、従って前記コネクター１２６を前記ランプロッド内の対応するコネクターに接続することにより、前記電源モジュール１２に電力を供給する。前記第二電線１２４は、前記収容部１０５を取り巻いて、前記発光モジュール１１を駆動する駆動電圧を提供するために用いられる。
【００１２】
前記発光モジュール１１は、並んで配列される複数の電気回路基板１１１と、複数の発光ダイオード１１２と、複数の光学レンズ１１３と、複数の反射板１１４と、を備える。前記電気回路基板１１１は、細長い矩形であり、その両端はそれぞれ前記収容部１０５の対向する両側の前記フレーム１０４に固定され、且つ前記第二電線１２４に電気的に接続されて、前記発光ダイオード１１２に駆動電圧を提供する。複数の前記発光ダイオード１１２は、各々の前記電気回路基板１１１の表面にアレイ状に配列される。複数の前記光学レンズ１１３は、複数の前記電気回路基板１１１の上の一部の前記発光ダイオード１１２を覆って、前記発光ダイオードランプ１の配光曲線を調整する。各々の前記電気回路基板１１１の上の複数の発光ダイオード１１２は２列に配列され、各列の複数の発光ダイオード１１２において、右側の２つの発光ダイオード１１２及び左側の２つの発光ダイオード１１２を除いて、他の発光ダイオード１１２は全て前記光学レンズ１１３に覆われる。前記反射板１１４には、前記電気回路基板１１１の表面に配列された複数の前記発光ダイオード１１２に対応して、複数の貫通孔１１５がアレイ状に配列される。複数の前記反射板１１４は、複数の前記電気回路基板１１１に貼り合わせられて、前記電気回路基板１１１の上の前記発光ダイオード１１２及び前記光学レンズ１１３は、前記反射板１１４の貫通孔１１５から露出する。
【００１３】
前記ランプカバー１４は、弧形であり、前記ハウジング１０の発光モジュール収容部１０１を覆って、前記発光モジュール１１を保護する。前記シーラント１７は、前記ランプカバー１４の辺縁と前記発光モジュール収容部１０１のフレーム１０４との間に挟まれて、前記発光ダイオードランプ１の防水密封特性を強める。前記ランプカバー１４と前記発光モジュール収容部１０１のフレーム１０４との間にさらに固定リング１０８を設置して、前記ランプカバー１４及び前記反射板１１４を固定する。
【００１４】
前記キャップ１５は、前記ハウジング１０の電源モジュール収容部１０２を覆う。前記キャップ１５の辺縁と前記電源モジュール収容部１０２の辺縁との間に挟まれる他の１つのシーラント１７及び前記キャップ１５によって、前記電源モジュール収容部１０２を密封して、前記電源モジュール収容部１０２に収容される前記電源モジュール１２を保護する。
【００１５】
前記放熱器１６は、前記発光モジュール収容部１０１の底部に設置され、放熱基板１６１及び複数の放熱フィン１６２を備える。複数の前記放熱フィン１６２は、前記放熱基板１６１の前記発光モジュール収容部１０１から離れている片側に、互いに離間して設置される。前記放熱基板１６１の前記放熱フィン１６２が設置されていない片側は、前記発光モジュール１１の電気回路基板１１１に当接して、前記発光モジュール１１が作動する際に生じる熱を伝導する。他の実施形態において、前記電気回路基板１１１と前記放熱基板１６１との間にさらに熱伝導シリコン樹脂のような放熱材料を塗布して、前記放熱器１６の熱伝導効率を高めることができる。図３は、前記発光ダイオードランプ１の立体組立図である。
【００１６】
前記発光モジュール１１は、前記光学レンズ１１３に覆われる複数の発光ダイオード１１２及び前記光学レンズ１１３に覆われない複数の発光ダイオード１１２を備えるので、前記発光ダイオードランプ１は、高い光透過率及び優れる配光曲線を有する。
【００１７】
図４を参照すると、発明の第二実施形態に係る発光ダイオードランプ２の発光モジュール１１は、並んで配列される複数の電気回路基板１１１を備え、配列の両側に位置する２つの前記電気回路基板１１１の上の複数の発光ダイオード１１２は、全て光学レンズ１１３に覆われない。
【００１８】
図５を参照すると、発明の第三実施形態に係る発光ダイオードランプ３の発光モジュール１１は、並んで配列される複数の電気回路基板１１１を備え、中央部に位置する１つの前記電気回路基板１１１の上のあらゆる発光ダイオード１１２は、全て光学レンズ１１３に覆われない。他の前記電気回路基板１１１において、ただ中央の２行の発光ダイオード１１２が前記光学レンズ１１３に覆われない。したがって前記発光ダイオードランプ３において、前記光学レンズ１１３に覆われない複数の前記発光ダイオード１１２は、十字状に配列される。
【００１９】
前記発光ダイオードランプ３において、前記光学レンズ１１３に覆われない複数の前記発光ダイオード１１２は、Ｈ、Ｉ、Ｏ、Ｘ、θのような英語字母又は他の特殊符号状に配列されることもできる。
【００２０】
前記発光モジュール３１は、前記光学レンズ３１３に覆われる複数の発光ダイオード３１２及び前記光学レンズ３１３に覆われない複数の発光ダイオード３１２を備えるので、前記発光ダイオードランプ３は、高い光透過率及び優れる配光曲線を有する。
【００２１】
以上本発明を実施例に基づいて具体的に説明したが、本発明は、上述の実施例に限定されるものではなく、その要旨を逸脱しない範囲において、種々変更可能であることは勿論であって、本発明の保護範囲は、以下の特許請求の範囲から決まる。
【符号の説明】
【００２２】
１，２，３  発光ダイオードランプ
１０  ハウジング
１１  発光モジュール
１２  電源モジュール
１４  ランプカバー
１５  キャップ
１６  放熱器
１７  シーラント
１０１  発光モジュール収容部
１０２  電源モジュール収容部
１０３  ランプヘッド
１０８  固定リング
１１１  電気回路基板
１１２  発光ダイオード
１１３  光学レンズ
１１４  反射板
１１５  貫通孔
１２０  変圧器
１２２  第一電線
１２４  第二電線
１２６  コネクター
１６１  放熱基板
１６２  放熱フィン
【図１】
2012084511.tif 000003
【図２】
2012084511.tif 000004
【図３】
2012084511.tif 000005
【図４】
2012084511.tif 000006
【図５】
2012084511.tif 000007